(57)【要約】【課題】操作しやすい塗布具を備える塗布具付き容器を提供する。【解決手段】本発明の塗布具付き容器の一つの態様は、内容物が収容される収容空間が形成された容器本体（２０）および容器本体（２０）を開閉する蓋体（７０）を有する容器体（１０ａ）と、容器体（１０ａ）内に配置された塗布具（３０）と、を備える塗布具付き容器（１０）であって、塗布具（３０）は、第１軸線（Ｊ１）を中心とする環状の柄部（３０ａ）と、柄部（３０ａ）に装着され、かつ内容物を被塗布部に塗布する塗布部（３４）と、を有することを特徴とする。【選択図】図１
2018033707.tif 000002
【特許請求の範囲】
【請求項１】
内容物が収容される収容空間が形成された容器本体および前記容器本体を開閉する蓋体を有する容器体と、前記容器体内に配置された塗布具と、を備える塗布具付き容器であって、
前記塗布具は、
第１軸線を中心とする環状の柄部と、
前記柄部に装着され、かつ前記内容物を被塗布部に塗布する塗布部と、
を有することを特徴とする塗布具付き容器。
【請求項２】
前記柄部は、
前記第１軸線を中心とする環状で、かつ前記第１軸線周りに沿う周方向に分断された柄部本体と、
前記柄部本体における前記周方向の両端部のうちの少なくとも一方に設けられた支持突部と、
を有し、
前記支持突部は、前記両端部のうちの他方に向けて突出し、かつ前記塗布部が装着され、
前記支持突部の先端部と前記柄部の前記周方向の他方側の端部との間には、周方向の隙間が設けられていることを特徴とする請求項１に記載の塗布具付き容器。
【請求項３】
前記塗布部は、筒状に形成されるとともに、前記支持突部に回転可能に外嵌されていることを特徴とする請求項２に記載の塗布具付き容器。
【請求項４】
前記支持突部は、前記第１軸線と平行に延びる第２軸線周りに回転可能に支持されていることを特徴とする請求項２または３に記載の塗布具付き容器。
【請求項５】
前記柄部のうち、前記塗布部に対して前記第１軸線周りに沿う周方向に隣接する部分は、前記第１軸線の軸方向から視て、直線状、もしくは前記第１軸線を中心とする径方向の内側に向けて凸となる曲線状を呈することを特徴とする請求項１から４のいずれか一項に記載の塗布具付き容器。
【請求項６】
前記容器本体には、前記容器本体の外部に向けて開口する外孔、前記収容空間に向けて開口する内孔、および前記外孔と前記内孔とを連通する連通空間が形成され、
前記連通空間内には、ボール体が、外端部を前記外孔から前記容器本体の外部に突出させた状態で回転可能に収容され、
前記塗布具は、前記柄部の内側に前記ボール体の外端部を進入させた状態で、前記容器体内に配置されていることを特徴とする請求項１から５のいずれか一項に記載の塗布具付き容器。
【発明の詳細な説明】
【技術分野】
【０００１】
本発明は、塗布具付き容器に関する。
【背景技術】
【０００２】
容器本体に収容された内容物を塗布するための塗布具が容器体内に配置された塗布具付き容器が知られている（例えば、特許文献１参照）。
【先行技術文献】
【特許文献】
【０００３】
【特許文献１】特開２０１４−８２６０号公報
【発明の概要】
【発明が解決しようとする課題】
【０００４】
上記のような塗布具付き容器の塗布具は、容器体内に配置されるため、大きさが比較的小さい。そのため、使用者は、塗布具を持ちにくく、塗布具を操作しにくい問題があった。
【０００５】
本発明は、上記問題点に鑑みて、操作しやすい塗布具を備える塗布具付き容器を提供することを目的の一つとする。
【課題を解決するための手段】
【０００６】
本発明の塗布具付き容器の一つの態様は、内容物が収容される収容空間が形成された容器本体および前記容器本体を開閉する蓋体を有する容器体と、前記容器体内に配置された塗布具と、を備える塗布具付き容器であって、前記塗布具は、第１軸線を中心とする環状の柄部と、前記柄部に装着され、かつ前記内容物を被塗布部に塗布する塗布部と、を有することを特徴とする。
【０００７】
本発明の塗布具付き容器の一つの態様によれば、柄部が環状であるため、柄部を比較的大きくしやすく、塗布具全体を比較的大きくしやすい。そのため、使用者は、柄部を把持しやすく、塗布具を持ちやすい。これにより、使用者は、塗布具を操作しやすい。したがって、本発明の塗布具付き容器の一つの態様によれば、操作しやすい塗布具を備える塗布具付き容器が得られる。
【０００８】
前記柄部は、前記第１軸線を中心とする環状で、かつ前記第１軸線周りに沿う周方向に分断された柄部本体と、前記柄部本体における前記周方向の両端部のうちの少なくとも一方に設けられた支持突部と、を有し、前記支持突部は、前記両端部のうちの他方に向けて突出し、かつ前記塗布部が装着され、前記支持突部の先端部と前記柄部の前記周方向の他方側の端部との間には、周方向の隙間が設けられている構成としてもよい。
この構成によれば、隙間を介して塗布部を支持突部に装着することができ、また隙間を介して塗布部を支持突部から外すことができる。これにより、塗布部の脱着を容易にすることができ、塗布部を交換する際の手間を低減できる。
【０００９】
前記塗布部は、筒状に形成されるとともに、前記支持突部に回転可能に外嵌されている構成としてもよい。
この構成によれば、塗布部を介して内容物を取り出す際に、塗布部を回転させることができる。これにより、塗布部を回転させて塗布部の表面全体に内容物を付着させやすく、内容物を取り出しやすい。また、塗布部を介して内容物を被塗布部に塗布する際に、塗布部を回転させることができ、内容物を被塗布部の広範囲に均等に塗布できる。
【００１０】
前記支持突部は、前記第１軸線と平行に延びる第２軸線周りに回転可能に支持されている構成としてもよい。
この構成によれば、支持突部を回転させることで、支持突部に対して塗布部を脱着することを容易にできる。
【００１１】
前記柄部のうち、前記塗布部に対して前記第１軸線周りに沿う周方向に隣接する部分は、前記第１軸線の軸方向から視て、直線状、もしくは前記第１軸線を中心とする径方向の内側に向けて凸となる曲線状を呈する構成としてもよい。
この構成によれば、直線状、もしくは曲線状を呈する部分を被塗布部近傍の部分に沿わせることで、塗布部を介して内容物を塗布する被塗布部の位置を視覚的に捉えやすく、内容物を適切に塗布しやすい。
【００１２】
前記容器本体には、前記容器本体の外部に向けて開口する外孔、前記収容空間に向けて開口する内孔、および前記外孔と前記内孔とを連通する連通空間が形成され、前記連通空間内には、ボール体が、外端部を前記外孔から前記容器本体の外部に突出させた状態で回転可能に収容され、前記塗布具は、前記柄部の内側に前記ボール体の外端部を進入させた状態で、前記容器体内に配置されている構成としてもよい。
【００１３】
この構成によれば、ボール体を回転させることによって、内容物を外部に取り出すことができる。そのため、塗布具の塗布部をボール体に接触させて、ボール体が回転するように塗布具を操作することで、容易に内容物を取り出すことができる。したがって、この構成によれば、内容物を取り出す際の塗布具の操作を容易にできる。
また、容器本体の外部に突出するボール体の外端部を柄部の内側に進入させた状態で塗布具を配置することで、塗布具付き容器の上下方向の寸法を小さくできる。
【発明の効果】
【００１４】
本発明の一つの態様によれば、操作しやすい塗布具を備える塗布具付き容器が提供される。
【図面の簡単な説明】
【００１５】
【図１】図１は、第１実施形態の塗布具付き容器を示す平面図である。
【図２】図２は、第１実施形態の塗布具付き容器を示す図であって、図１におけるII−II断面図である。
【図３】図３は、第２実施形態の塗布具付き容器を示す平面図である。
【図４】図４は、第２実施形態の塗布具付き容器を示す図であって、図３におけるIV−IV断面図である。
【図５】図５は、第３実施形態の塗布具付き容器を示す断面図である。
【図６】図６は、本実施形態の塗布具の他の一例を示す平面図である。
【図７】図７は、本実施形態の塗布具の他の一例を示す平面図である。
【図８】図８は、本実施形態の塗布具の他の一例を示す平面図である。
【図９】図９は、本実施形態の塗布具の他の一例を示す平面図である。
【図１０】図１０は、本実施形態の塗布具の他の一例を示す平面図である。
【図１１】図１１は、本実施形態の塗布具の他の一例を示す平面図である。
【図１２】図１２は、本実施形態の塗布具の他の一例を示す平面図である。
【図１３】図１３は、本実施形態の塗布具の他の一例を示す図であって、図１２におけるXIII-XIII断面図である。
【図１４】図１４は、本実施形態の塗布具の他の一例を示す平面図である。
【図１５】図１５は、本実施形態の塗布具の他の一例を示す平面図である。
【図１６】図１６は、本実施形態の塗布具の他の一例を示す図であって、図１５におけるXVI-XVI断面図である。
【図１７】図１７は、本実施形態の塗布具の他の一例を示す図であって、図１５におけるXVII-XVII断面図である。
【図１８】図１８は、本実施形態の塗布具の他の一例を示す平面図である。
【発明を実施するための形態】
【００１６】
以下、図面を参照しながら、本発明の実施形態に係る塗布具付き容器について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１７】
＜第１実施形態＞
本実施形態の塗布具付き容器１０は、図１および図２に示すように、容器体１０ａと、容器体１０ａ内に配置された塗布具３０と、を備える。容器体１０ａは、容器本体２０と、ボール体１３と、蓋体７０と、を有する。容器本体２０には内容物Ｃ１が収容される収容空間１４が形成されている。ボール体１３は、回転可能に容器本体２０に保持されている。ボール体１３の一部は、内容物Ｃ１に接触し、ボール体１３の他の一部は、容器本体２０の外部に露出している。蓋体７０は、容器本体２０を開閉する。蓋体７０は、閉じた状態においてボール体１３を覆っている。以下、各部について詳細に説明する。
なお、以下の説明における蓋体７０と他の部材との位置関係および蓋体７０の各部同士の位置関係は、特に断りのない限り、蓋体７０が閉じた状態における位置関係とする。
【００１８】
容器本体２０は、図２に示すように、底部材４０と、カバー部材５０と、支持部材６０と、を有する。底部材４０は、有底の円筒状である。以下では、底部材４０の中心軸線（容器本体２０の中心軸線）を容器軸Ｏ１と呼び、容器軸Ｏ１に沿う方向を上下方向と呼ぶ。上下方向に沿って蓋体７０側を上側と呼び、容器本体２０側を下側と呼ぶ。また、上下方向から視た平面視において、容器軸Ｏ１を通り容器軸Ｏ１に直交する方向を径方向と呼ぶ。
【００１９】
底部材４０は、底板部４１と、筒部４２と、を有する。
底板部４１は、容器軸Ｏ１と同軸に配置された円板状の円板部４１ａと、円板部４１ａの外周縁から径方向外側に向かうに従って上側に延びる円環板状の円環板部４１ｂと、を有する。
筒部４２は、容器軸Ｏ１と同軸に配置された円筒状である。筒部４２は、底板部４１を囲んでいる。筒部４２の内周面における上下方向の中央には、円環板部４１ｂの外周縁が接続されている。筒部４２は、円環板部４１ｂの外周縁から上側に延びる上側筒部４２ａと、円環板部４１ｂの外周縁から下側に延びる下側筒部４２ｂと、を有する。下側筒部４２ｂは、上側筒部４２ａよりも径方向外側に位置する。
【００２０】
カバー部材５０は、底部材４０の上端開口を閉塞している。カバー部材５０は、天板部５２と、嵌合筒部５１と、外側保持筒部５３と、内側保持筒部５４と、外側シール部５５と、を有する。
天板部５２は、容器軸Ｏ１と同軸に配置された円環板状である。天板部５２は、底部材４０の上端開口を覆っている。天板部５２の上面は、蓋体７０と対向する対向面５２ａである。対向面５２ａは、径方向外側に向かうに従って上側に延び、下側に凹となる凹曲面状である。天板部５２の下面５２ｂは、径方向外側に向かうに従って上側に延び、下側に凸となる凸曲面状である。
【００２１】
嵌合筒部５１は、容器軸Ｏ１と同軸に配置され、天板部５２の外周縁から下側に延びる円筒状である。嵌合筒部５１は、嵌合筒部５１の上部である上側嵌合筒部５１ａと、嵌合筒部５１の下部である下側嵌合筒部５１ｂと、を有する。
上側嵌合筒部５１ａの外周面には、雄ネジ部が形成されている。
下側嵌合筒部５１ｂは、上側嵌合筒部５１ａよりも径方向外側に位置する。下側嵌合筒部５１ｂの内径は、上側嵌合筒部５１ａの内径よりも大きい。下側嵌合筒部５１ｂは、底部材４０における筒部４２の上側筒部４２ａに外嵌されている。下側嵌合筒部５１ｂの下端は、筒部４２の下側筒部４２ｂの上端と接触している。
【００２２】
底部材４０の底板部４１および上側筒部４２ａと、カバー部材５０の天板部５２および上側嵌合筒部５１ａと、によって収容空間１４が形成されている。収容空間１４には、流動性を有する内容物Ｃ１が収容されている。内容物Ｃ１は、流動性を有していれば、液体であってもよいし、ゲル状であってもよいし、ゼリー状であってもよい。内容物Ｃ１は、例えば、揮発性の成分を含んでいる。内容物Ｃ１は、例えば、化粧品である。
【００２３】
内側保持筒部５４は、天板部５２の内周縁から下側に突出し、容器軸Ｏ１と同軸に配置された円筒状である。
外側保持筒部５３は、天板部５２の下面５２ｂから下側に突出し、容器軸Ｏ１と同軸に配置された円筒状である。外側保持筒部５３は、内側保持筒部５４よりも径方向外側に位置する。外側保持筒部５３の下端は、内側保持筒部５４の下端よりも下側に位置する。
【００２４】
外側シール部５５は、内側保持筒部５４の下端から径方向内側に向かって斜め上方に延びている。外側シール部５５は、容器軸Ｏ１と同軸に配置された円環状である。本実施形態において外側シール部５５は、弾性変形可能に構成されている。外側シール部５５の内周面５５ａは、容器軸Ｏ１と同軸に配置された円環状であり、ボール体１３の表面に沿った曲面状である。
カバー部材５０の中央には、カバー部材５０を上下方向に貫通する外孔５６が形成されている。外孔５６は、容器本体２０の外部に向けて開口している。図１に示すように、外孔５６の平面視形状は、容器軸Ｏ１と同軸に配置された円形状である。図２に示すように、本実施形態において外孔５６の内周縁は、外側シール部５５の上端の内周縁である。
【００２５】
支持部材６０は、天板部５２の下側に取り付けられている。支持部材６０は、取付部６１と、円筒部６２と、内側シール部６３と、を有する。取付部６１は、容器軸Ｏ１と同軸に配置された円環状に形成され、外側保持筒部５３と内側保持筒部５４との径方向の間に嵌合されている。
円筒部６２は、取付部６１の下端における内周縁から下側に延びる円筒状である。円筒部６２の内径および外径は、下側に向かうに従って小さくなる。円筒部６２の内周面および外周面は、曲面である。円筒部６２の上端は、内側保持筒部５４の下端と接触している。
【００２６】
内側シール部６３は、円筒部６２の下端部における内周面から突出している。内側シール部６３は、容器軸Ｏ１と同軸に配置された円環状である。内側シール部６３は、ボール体１３のうち後述する連通空間１５内に配置された部分を支持している。本実施形態では、内側シール部６３は、ボール体１３の下部を支持している。
支持部材６０の下端中央には、支持部材６０を上下方向に貫通する内孔６４が形成されている。内孔６４は、収容空間１４に向けて開口している。内孔６４の平面視形状は、例えば、容器軸Ｏ１と同軸に配置された円形状である。本実施形態において内孔６４の内周縁は、円筒部６２の下端の内周縁である。
【００２７】
外側シール部５５の内周面５５ａと円筒部６２の内周面とによって、連通空間１５が形成されている。連通空間１５は、外孔５６と内孔６４とを連通している。連通空間１５は、上下方向の中央から上下方向両側に向かうに従って内径が小さくなる略樽状の空間である。連通空間１５内には、内孔６４を介して、収容空間１４内に収容された内容物Ｃ１が流入する。これにより、連通空間１５の下部には、内容物Ｃ１が収容されている。
【００２８】
ボール体１３は、連通空間１５内に回転可能に収容されている。ボール体１３は、球状である。ボール体１３の上端部（外端部）は、外孔５６から容器本体２０の外部に突出している。ボール体１３の上端部は、天板部５２の外側シール部５５よりも上側に突出している。ボール体１３の下端部（内端部）は、内孔６４から収容空間１４内に突出している。ボール体１３の下部における表面は、収容空間１４内および連通空間１５内に収容された内容物Ｃ１と接触している。
【００２９】
蓋体７０は、外孔５６を開閉する。蓋体７０は、蓋体本体７０ａと、蓋板部７０ｂと、を有する。
蓋体本体７０ａは、板部７１と、装着筒部７２と、押圧部７０ｃと、を有する。
板部７１は、容器軸Ｏ１と同軸に配置された円環板状である。
装着筒部７２は、板部７１の外周縁から下側に延びる円筒状である。装着筒部７２の内周面には、嵌合筒部５１の上部の外周面に形成された雄ネジ部と螺合された雌ネジ部が形成されている。装着筒部７２の下端は、下側嵌合筒部５１ｂの上端と接触している。
【００３０】
押圧部７０ｃは、円環板状の板部７１の内周縁から下側に突出して設けられている。押圧部７０ｃは、筒部７３と、接触部７４と、を有する。
筒部７３は、容器軸Ｏ１と同軸に配置され、板部７１の内周縁から下側に延びる円筒状である。筒部７３は、外孔５６よりも径方向外側に位置する。筒部７３は、平面視において、外側シール部５５と重なっている。
【００３１】
接触部７４は、筒部７３の下端に接続されている。接触部７４は、容器本体２０およびボール体１３と接触する部分である。接触部７４は、上側に凸となる椀状である。接触部７４の下面は、上側に窪みボール体１３と対向する球面状であり、ボール体１３の表面に沿っている。接触部７４は、第１押圧部７５と、第２押圧部７４ａと、を有する。
【００３２】
第１押圧部７５は、接触部７４の下面から下側に突出する。第１押圧部７５は、容器軸Ｏ１と同軸に配置された円環状である。第１押圧部７５は、外孔５６の外周縁よりも径方向内側に位置する。第１押圧部７５の下端は、蓋体７０が閉じた状態においてボール体１３に上側から接触する。第１押圧部７５は、蓋体７０が閉じた状態においてボール体１３の上端部（外端部）を下側に押圧する。
【００３３】
第２押圧部７４ａは、接触部７４の外周縁部である。第２押圧部７４ａは、蓋体７０が閉じた状態において外側シール部５５に上側から接触する。第２押圧部７４ａは、蓋体７０が閉じた状態において外側シール部５５を押圧する。これにより、第２押圧部７４ａと外側シール部５５の外周面とは、密着する。また、本実施形態では、外側シール部５５は弾性変形可能に構成されているため、第２押圧部７４ａによって押圧されることで、外側シール部５５は、弾性変形する。これにより、第２押圧部７４ａは、蓋体７０が閉じた状態において、外側シール部５５を弾性変形させてボール体１３に押し付ける。
蓋板部７０ｂは、容器軸Ｏ１と同軸に配置された円板状である。蓋板部７０ｂは、蓋体本体７０ａの上面に取り付けられている。より詳細には、蓋板部７０ｂは、板部７１の上面に固定されている。蓋板部７０ｂは、押圧部７０ｃを覆っている。
【００３４】
蓋体７０が閉じた状態において、容器本体２０と蓋体７０との間には、内部空間１６が形成されている。内部空間１６は、押圧部７０ｃの外周面を囲む円環状の空間である。内部空間１６は、蓋体本体７０ａとカバー部材５０とによって囲まれて構成されている。
塗布具付き容器１０は、内部空間１６と内孔６４との連通空間１５を通した連通を開放可能に遮断するシール部を備えている。本実施形態においてシール部は、上述した外側シール部５５および内側シール部６３を含む。
【００３５】
蓋体７０が閉じた状態においては、蓋体本体７０ａの第１押圧部７５がボール体１３を下側に押圧することで、ボール体１３の下端部が内側シール部６３に押し付けられる。これにより、内側シール部６３によって、連通空間１５の内側面とボール体１３の表面との間がシールされ、外孔５６と内孔６４との連通空間１５を通した連通が遮断される。また、蓋体７０が閉じた状態において、第１押圧部７５によって内側シール部６３に押し付けられることで、ボール体１３の回転は抑制される。
【００３６】
また、蓋体本体７０ａの第２押圧部７４ａが外側シール部５５を押圧することで、第２押圧部７４ａと外側シール部５５とが密着する。これにより、内部空間１６と外孔５６との間がシールされる。また、本実施形態では、蓋体７０が閉じた状態において、外側シール部５５は弾性変形して、ボール体１３に向けて押し付けられる。これにより、ボール体１３の回転がより抑制される。また、外側シール部５５によっても、連通空間１５の内側面とボール体１３の表面との間の少なくとも一部をシールすることができる。なお、外側シール部５５は、外側シール部５５が弾性変形してボール体１３に押し付けられた際に、外側シール部５５とボール体１３の表面との間のシールをより確実にできる構成としてもよい。この場合、外側シール部５５は、外孔５６と内孔６４との連通空間１５を通した連通を開放可能に遮断する内側シール部としても機能する。
以上のように、蓋体７０が閉じた状態においては、外側シール部５５と内側シール部６３とによって、内部空間１６と内孔６４との連通空間１５を通した連通が遮断される。
【００３７】
一方、蓋体７０が開いた状態においては、第１押圧部７５および第２押圧部７４ａによるボール体１３および外側シール部５５の押圧状態が解除される。そのため、外側シール部５５は弾性変形した状態から復元し、外側シール部５５とボール体１３の表面との間にはわずかに隙間が生じる。また、第２押圧部７４ａと外側シール部５５とが離れるため、内部空間１６と外孔５６との間のシール状態も解除される。なお、蓋体７０が開いた状態においては、内部空間１６は、塗布具付き容器１０の外部空間に解放されている。また、ボール体１３の回転抑制が解除され、ボール体１３は回転可能な状態となる。
【００３８】
容器軸Ｏ１の延びる方向が上下方向となるように塗布具付き容器１０が配置される場合、蓋体７０が開いた状態においても、ボール体１３の下端部は、ボール体１３の自重によって内側シール部６３と接触している。しかし、ボール体１３が回転可能な状態であるため、例えば、ボール体１３が回転する際、ボール体１３がわずかに浮き上がる等によって、内側シール部６３とボール体１３の表面との間にはわずかに隙間が生じる。
以上のように、蓋体７０が開いた状態においては、内側シール部６３および外側シール部５５によるシール状態が解除され、外孔５６と内孔６４との連通空間１５を通した連通が開放される。
【００３９】
塗布具３０は、図１に示すように、第１軸線Ｊ１を中心とする環状の柄部３０ａと、柄部３０ａに装着された塗布部３４と、を有する。本実施形態において第１軸線Ｊ１は、塗布具３０が容器体１０ａ内に配置された状態において、容器軸Ｏ１と一致している。
柄部３０ａは、柄部本体３１と、支持突部３２，３３と、を有する。
柄部本体３１は、第１軸線Ｊ１を中心とする環状で、かつ第１軸線Ｊ１周りに沿う周方向に分断されている。すなわち、柄部本体３１には、第１軸線Ｊ１周りに沿う周方向に柄部本体３１を分断する開口部３１ａが形成されている。開口部３１ａは、図１における右側の端部に形成されている。柄部本体３１の形状は、平面視においてＣ字状である。以下の説明においては、第１軸線Ｊ１周りに沿う周方向を単に周方向と呼ぶ。
【００４０】
ここで、本明細書において「環状である」とは、全周に亘って連続して延びることに加えて、全周のうちの一部が分断されて不連続となっていることも含む。本明細書において「環状である」とは、例えば、環状である対象物の第１軸線Ｊ１を中心とする中心角が１８０°よりも大きいことを含む。具体的に、図１の例では、柄部３０ａの中心角θ１および柄部本体３１の中心角θ２は、１８０°よりも大きい。中心角θ１は、中心角θ２よりも大きい。柄部３０ａの中心角θ１とは、第１軸線Ｊ１と支持突部３２，３３の先端のそれぞれとを通る２本の仮想線同士が成す角度のうち柄部３０ａ側の角度である。柄部本体３１の中心角θ２とは、第１軸線Ｊ１と柄部本体３１の周方向両端のそれぞれとを通る２本の仮想線同士が成す角度のうち柄部本体３１側の角度である。
【００４１】
柄部本体３１の周方向端面３１ｂ，３１ｃは、開口部３１ａを介して対向する。本実施形態において周方向端面３１ｂ，３１ｃは、互いに平行である。周方向端面３１ｂ，３１ｃは、第１軸線Ｊ１（上下方向）と平行で、かつ平面視において第１軸線Ｊ１と開口部３１ａの周方向の中心とを通る仮想線Ｌと平行な面である。仮想線Ｌが延びる方向は、径方向のうちの一方向である。図２に示すように、柄部本体３１は、表裏面が第１軸線Ｊ１（上下方向）と直交する板状である。
【００４２】
本実施形態において支持突部３２，３３は、図１に示すように、柄部本体３１における周方向の両端部に設けられている。支持突部３２，３３は、柄部本体３１の周方向の両端部のうちの他方に向けて突出している。具体的に、支持突部３２は、柄部本体３１の周方向の一端部の周方向端面３１ｂから柄部本体３１の周方向の他端部に向けて突出している。支持突部３３は、柄部本体３１の周方向の他端部の周方向端面３１ｃから柄部本体３１の周方向の一端部に向けて突出している。
【００４３】
支持突部３２と支持突部３３とは、第１軸線Ｊ１（上下方向）および仮想線Ｌの両方と直交する方向に延びている。支持突部３２と支持突部３３とは、互いに同軸に配置された円柱状である。支持突部３２の先端部と支持突部３３の先端部との間には、周方向の隙間３５が設けられている。本実施形態において支持突部３２，３３の先端部は、それぞれ柄部３０ａの周方向の端部である。すなわち、支持突部３２，３３の先端部のそれぞれと柄部３０ａの周方向の他方側の端部（他方側の支持突部の先端部）との間には、隙間３５が設けられている。支持突部３２，３３の外径は、柄部本体３１の径方向の寸法よりも小さく、柄部本体３１の上下方向の寸法とほぼ同じである。
【００４４】
塗布部３４は、内容物Ｃ１を被塗布部に塗布する部分である。塗布部３４は、例えば、スポンジ製である。被塗布部とは、例えば、使用者の肌等を含む。塗布部３４は、支持突部３２，３３に装着されている。本実施形態において塗布部３４は、筒状に形成されるとともに、支持突部３２，３３に回転可能に外嵌されている。塗布部３４は、支持突部３２，３３と同軸に配置された円筒状である。
【００４５】
塗布部３４は、支持突部３２と支持突部３３とに跨って装着されている。塗布部３４内には、塗布部３４の一端から支持突部３２が挿入され、塗布部３４の他端から支持突部３３が挿入されている。隙間３５は、塗布部３４内に設けられている。塗布部３４を介して支持突部３２と支持突部３３とが連結されることで、塗布具３０の全体形状は、全周に亘って連続した環状となる。塗布部３４の両端は、柄部本体３１の周方向端面３１ｂ，３１ｃと離れて配置されている。
【００４６】
塗布具３０の径方向内側には、進入空間部８０が設けられている。進入空間部８０は、柄部本体３１と塗布部３４とによって囲まれた空間である。進入空間部８０には、第１軸線Ｊ１が通る。進入空間部８０の平面視形状は、略円形状である。本実施形態において塗布具３０は、図２に示すように、柄部３０ａの内側、すなわち進入空間部８０にボール体１３の上端部（外端部）を進入させた状態で、容器体１０ａ内に配置されている。塗布具３０は、内部空間１６内において、カバー部材５０の天板部５２上に配置されている。図１に示すように、平面視において塗布具３０は、外孔５６を囲んでいる。
【００４７】
次に、塗布具付き容器１０における内容物Ｃ１の取り出し方法について説明する。
まず、使用者は、蓋体７０を開き、柄部３０ａを介して塗布具３０を把持する。このとき使用者は、塗布具３０の柄部本体３１のうち、塗布部３４と第１軸線Ｊ１を挟んで対向する部分を把持する。
次に、使用者は、塗布具３０を操作して、塗布部３４をボール体１３に上側から押し付けて水平方向に動かすことで、ボール体１３を回転させることができる。このとき、使用者は、塗布具３０を塗布部３４の軸線方向と直交する方向に動かすことで、塗布部３４を支持突部３２，３３に対して回転させながら、ボール体１３を回転させることができる。
【００４８】
ボール体１３の下端部は内容物Ｃ１と接触しているため、ボール体１３の下端部における表面には、内容物Ｃ１が付着している。ボール体１３における内容物Ｃ１が付着した表面が、ボール体１３の回転によって、ボール体１３のうち外孔５６を介して容器本体２０の外部に露出する上端部（外端部）に移動すると、ボール体１３の表面に付着した内容物Ｃ１が塗布部３４に付着する。このようにして、収容空間１４内の内容物Ｃ１を、内孔６４、連通空間１５、および外孔５６を介して、容器本体２０の外部に取り出すことができる。使用者は、柄部３０ａを把持したまま塗布具３０を操作して、内容物Ｃ１の付着した塗布部３４被塗布部に接触させて、内容物Ｃ１を塗布する。
【００４９】
本実施形態によれば、柄部３０ａが環状であるため、柄部３０ａを比較的大きくしやすく、塗布具３０全体を比較的大きくしやすい。そのため、使用者は、柄部３０ａを把持しやすく、塗布具３０を持ちやすい。これにより、使用者は、塗布具３０を操作しやすい。したがって、本実施形態によれば、操作しやすい塗布具３０を備える塗布具付き容器１０が得られる。
また、本実施形態によれば、塗布部３４が装着される支持突部３２，３３同士の周方向の間には、隙間３５が設けられている。そのため、隙間３５を介して塗布部３４を支持突部３２，３３に装着することができ、また隙間３５を介して塗布部３４を支持突部３２，３３から外すことができる。これにより、塗布部３４の脱着を容易にすることができ、塗布部３４を交換する際の手間を低減できる。
【００５０】
また、本実施形態によれば、塗布部３４は、筒状に形成されるとともに、支持突部３２，３３に回転可能に外嵌されている。そのため、塗布部３４を介してボール体１３を回転させる際に、塗布部３４を回転させることができる。これにより、塗布部３４を回転させて塗布部３４の表面全体に内容物Ｃ１を付着させやすく、内容物Ｃ１を取り出しやすい。また、塗布部３４を介して内容物Ｃ１を被塗布部に塗布する際に、塗布部３４を回転させることができ、内容物Ｃ１を被塗布部の広範囲に均等に塗布できる。
【００５１】
また、本実施形態によれば、上述したようにボール体１３を回転させることによって、内容物Ｃ１を外部に取り出すことができる。そのため、塗布具３０の塗布部３４をボール体１３に接触させて、ボール体１３が回転するように塗布具３０を操作することで、容易に内容物Ｃ１を取り出すことができる。したがって、本実施形態によれば、内容物Ｃ１を取り出す際の塗布具３０の操作を容易にできる。
また、収容空間１４内の内容物Ｃ１の残量が少なくなっても、内容物Ｃ１にボール体１３が接触していれば、ボール体１３を回転させることで内容物Ｃ１を外部に取り出すことができる。したがって、本実施形態によれば、残量が少なくなっても内容物Ｃ１を容易に取り出すことができる。
また、容器本体２０の外部に突出するボール体１３の上端部（外端部）を柄部３０ａの内側（進入空間部８０）に進入させた状態で塗布具３０を配置することで、塗布具付き容器１０の上下方向の寸法を小さくできる。
【００５２】
＜第２実施形態＞
第２実施形態は、第１実施形態に対して、容器体の構成が異なる。なお、上記実施形態と同様の構成については、適宜同一の符号を付す等により説明を省略する場合がある。
本実施形態の塗布具付き容器１１０における容器体１１０ａは、図３および図４に示すように、平面視矩形状の扁平容器である。容器体１１０ａは、容器本体１２０と、容器本体１２０に対して図３に示す回転軸Ｏ２周りに回動可能に取り付けられた蓋部材１７０と、を有する。回転軸Ｏ２は、上下方向と直交する水平方向の一方向（図３では左右方向）に延びている。
蓋部材１７０は、後述する底部材１４０の上側の開口を開閉可能である。図３においては、蓋部材１７０が開いた状態を示しており、図４においては、蓋部材１７０が閉じた状態を示している。図４に示すように蓋部材１７０の下面には、鏡Ｍが固定されている。
【００５３】
容器本体１２０は、図４に示すように、上側に開口する箱状の底部材１４０と、底部材１４０内に配置された中皿容器１８０と、を有する。
底部材１４０の平面視形状は、図３に示すように、回転軸Ｏ２と平行な方向に長い長方形状である。底部材１４０の内部空間は、回転軸Ｏ２と平行な方向に沿って２つの空間１４０ａ，１４０ｂに仕切られている。空間１４０ａには、中皿容器１８０が配置されている。空間１４０ｂには、塗布具３０が収納されている。
図４に示すように、底部材１４０の底板部における空間１４０ｂを形成する部分には、底部材１４０の底板部を上下方向に貫通する複数の貫通孔１４０ｃが形成されている。貫通孔１４０ｃの平面視形状は、図３に示すように、例えば、正方形状である。貫通孔１４０ｃが形成されることで、容器体１１０ａ内の通気性を向上できる。塗布具３０は、複数の貫通孔１４０ｃが形成された底部材１４０の底板部上に配置されている。
【００５４】
中皿容器１８０は、図４に示すように、上側に開口する扁平容器である。中皿容器１８０内には、内容物Ｃ２が収納されている。内容物Ｃ２は、例えば、アイライナーやほほ紅等の粉物、あるいは、口紅等の練り物である。中皿容器１８０は、例えば、底部材１４０に対して着脱可能に取り付けられている。使用者は、中皿容器１８０内の内容物Ｃ２が無くなった場合、内容物Ｃ２が無くなった中皿容器１８０を底部材１４０から取り外し、内容物Ｃ２が充填された新しい中皿容器１８０を底部材１４０に設置できる。
【００５５】
＜第３実施形態＞
第３実施形態は、第１実施形態に対して、容器体の構成が異なる。なお、上記実施形態と同様の構成については、適宜同一の符号を付す等により説明を省略する場合がある。
本実施形態の塗布具付き容器２１０における容器体２１０ａは、図５に示すように、内容物Ｃ３を収容する容器本体２２０と、容器本体２２０に対して回転軸Ｏ２周りに回動可能に取り付けられた蓋部材２７０と、を有する。容器本体２２０は、容器軸Ｏ１を中心とし、上側に開口する扁平円筒状である。内容物Ｃ３は、例えば、内容物Ｃ２と同様である。
【００５６】
蓋部材２７０は、上蓋２７１と、下蓋２７２と、を有する。上蓋２７１と下蓋２７２とは、蓋部材２７０が閉じられた状態において容器軸Ｏ１と同軸に配置されている。上蓋２７１は下蓋２７２の上方に配置されている。上蓋２７１と下蓋２７２との上下方向の間には、空間２７０ａが設けられている。空間２７０ａ内には、塗布具３０が配置されている。下蓋２７２の下面には、鏡Ｍが固定されている。蓋部材２７０は、開閉操作部２９０が押されることで上側に突き上げられ、開いた状態となる。
【００５７】
なお、上記の第１実施形態から第３実施形態で説明した各塗布具付き容器において、各容器体内に配置される塗布具の構成は、上述した塗布具３０の構成に限られない。塗布具は、例えば、図６から図１８にそれぞれ示す塗布具のような構成であってもよい。なお、以下の説明において、上記実施形態と同様の構成については、適宜同一の符号を付す等により、説明を省略する場合がある。
【００５８】
図６に示す塗布具３３０の柄部３３０ａにおいて、支持突部３３２は、上述した塗布具３０と異なり、１つのみ設けられている。すなわち、支持突部３３２は、柄部本体３１における周方向の両端部のうちの一方のみに設けられている。支持突部３３２は、柄部本体３１の周方向端面３１ｃから他方側の周方向端面３１ｂに向かって突出している。支持突部３３２の先端部と柄部３３０ａの周方向の他方側の端部、すなわち本実施形態では柄部本体３１の周方向の他方側の端部との間には、隙間３３５が設けられている。隙間３３５の一部は、塗布部３４の内部に配置され、隙間３３５の他の一部は、塗布部３４の外部に配置されている。
塗布具３３０のその他の構成は、上述した塗布具３０の構成と同様である。
【００５９】
図７に示す塗布具４３０の柄部４３０ａにおいて、支持突部４３２は、第１軸線Ｊ１と平行に延びる第２軸線Ｊ２周りに回転可能に支持されている。第２軸線Ｊ２は、柄部本体３１の周方向一方側の端部を通る。支持突部４３２は、図６の塗布具３３０と同様に、１つのみ設けられている。支持突部４３２は、連結部４３２ａと、装着部４３２ｂと、を有する。
【００６０】
連結部４３２ａは、柄部本体３１と連結される部分である。連結部４３２ａは、塗布具４３０を使用する際の状態（図７の実線および破線で示す状態）において、周方向に沿って延び、柄部本体３１と上下方向に重なっている。
装着部４３２ｂは、塗布部３４が装着される部分である。装着部４３２ｂは、連結部４３２ａの先端から直線状に延びている。装着部４３２ｂは、塗布具４３０を使用する際の状態において、柄部本体３１の周方向の他方側の端部に向かって突出している。
塗布具４３０のその他の構成は、図６に示した塗布具３３０の構成と同様である。
この構成によれば、図７において二点鎖線で示すように支持突部４３２を回転させることで、支持突部４３２に対して塗布部３４を脱着することを容易にできる。
【００６１】
図８に示す塗布具５３０の柄部５３０ａにおいて、柄部本体５３１は、曲線部５３１ａを有する。曲線部５３１ａは、柄部５３０ａ（柄部本体５３１）のうち、塗布部３４に対して第１軸線Ｊ１周りに沿う周方向に隣接する部分である。図８の例では、曲線部５３１ａは、支持突部３２が設けられる側の柄部本体５３１の部分である。曲線部５３１ａは、第１軸線Ｊ１の軸方向から視て、第１軸線Ｊ１を中心とする径方向の内側に向けて凸となる曲線状を呈している。
【００６２】
柄部５３０ａにおいて、支持突部３２が設けられた周方向端面５３１ｂは、曲線部５３１ａの径方向内側面の一部である。周方向端面５３１ｂは、第１軸線Ｊ１を中心とする径方向外側に向かうに従って周方向端面３１ｃから離れる向きに延びる曲面状である。
塗布具５３０のその他の構成は、上述した塗布具３０の構成と同様である。
この構成によれば、曲線部５３１ａを被塗布部近傍の曲線状の部分に沿わせることで、塗布部３４を介して内容物を塗布する被塗布部の位置を視覚的に捉えやすく、内容物を適切に塗布しやすい。被塗布部近傍の曲線状の部分とは、例えば、目および鼻等における曲線状の部分である。
【００６３】
図９に示す塗布具６３０の柄部６３０ａにおいて、柄部本体６３１は、直線部６３１ａを有する。直線部６３１ａは、柄部６３０ａ（柄部本体６３１）のうち、塗布部３４に対して第１軸線Ｊ１周りに沿う周方向に隣接する部分である。図９の例では、直線部６３１ａは、支持突部３２が設けられる側の柄部本体６３１の部分である。直線部６３１ａは、第１軸線Ｊ１の軸方向から視て、直線状を呈している。直線部６３１ａが延びる方向は、支持突部３２，３３が延びる方向および第１軸線Ｊ１の両方と直交する方向である。
【００６４】
柄部６３０ａにおいて、支持突部３２が設けられる周方向端面３１ｂは、直線部６３１ａの径方向内側面の一部である。直線部６３１ａの径方向内側面は、平坦面である。
塗布具６３０のその他の構成は、上述した塗布具３０の構成と同様である。
この構成によれば、直線部６３１ａを被塗布部近傍の直線状の部分に沿わせることで、塗布部３４を介して内容物を塗布する被塗布部の位置を視覚的に捉えやすく、内容物を適切に塗布しやすい。被塗布部近傍の直線状の部分とは、例えば、顔における直線状の部分である。
【００６５】
図１０に示す塗布具７３０の柄部７３０ａにおいて、柄部本体７３１は、把持直線部７３１ｂを有する。把持直線部７３１ｂは、柄部７３０ａ（柄部本体７３１）のうち、塗布部３４と第１軸線Ｊ１を挟んで対向する部分である。把持直線部７３１ｂは、第１軸線Ｊ１の軸方向から視て、支持突部３２，３３が延びる方向と平行な方向に延びる直線状を呈している。
塗布具７３０のその他の構成は、上述した塗布具３０の構成と同様である。
この構成によれば、使用者は、把持直線部７３１ｂを把持することで、塗布具７３０をより持ちやすい。これにより、塗布具７３０をより操作しやすくできる。
【００６６】
図１１に示す塗布具８３０の柄部８３０ａにおいて、柄部本体８３１は、直線部８３１ａ，８３１ｃと、把持直線部８３１ｂと、を有する。直線部８３１ａは、図９に示す直線部６３１ａと同様である。直線部８３１ｃは、支持突部３３が設けられる側の柄部本体８３１の部分である点を除いて直線部８３１ａと同様である。直線部８３１ａと直線部８３１ｃとは、互いに平行である。
【００６７】
把持直線部８３１ｂは、図１０に示す把持直線部７３１ｂと同様である。把持直線部８３１ｂの両端は、それぞれ直線部８３１ａ，８３１ｃの端部と接続されている。把持直線部８３１ｂは、直線部８３１ａ，８３１ｃと直交している。柄部本体８３１の第１軸線Ｊ１の軸方向から視た形状は、Ｕ字状である。塗布具８３０の第１軸線Ｊ１の軸方向から視た形状は、略正方形環状である。
塗布具８３０のその他の構成は、上述した塗布具３０の構成と同様である。
【００６８】
図１２および図１３に示す塗布具９３０の柄部９３０ａにおいて、柄部本体９３１は、２つ設けられている。図１２に示すように、２つの柄部本体９３１は、第１軸線Ｊ１を挟んで対向して配置されている。２つの柄部本体９３１は、それぞれ周方向に沿って延びる円弧状である。２つの柄部本体９３１は、凸となる向きが互いに逆向きとなるように配置されている。
柄部９３０ａにおいて支持突部９３２は、２つの柄部本体９３１を連結する円柱状である。支持突部９３２としては、２つの柄部本体９３１の周方向の一端同士を連結する支持突部９３２と、２つの柄部本体９３１の周方向の他端同士を連結する支持突部９３２との２つが設けられている。
【００６９】
塗布具９３０において塗布部は、第１塗布部（塗布部）９３４ａと、第２塗布部（塗布部）９３４ｂと、の２つが設けられている。
第１塗布部９３４ａは、一方の支持突部９３２に装着されている。第１塗布部９３４ａは、筒状に形成されるとともに、一方の支持突部９３２に回転可能に外嵌されている。第１塗布部９３４ａは、例えば、一方の支持突部９３２と同軸に配置された円筒状である。
【００７０】
図１３に示すように、第１塗布部９３４ａには、スリット部９３６ａが形成されている。スリット部９３６ａは、第１塗布部９３４ａの延びる方向の全体に亘って形成されており、第１塗布部９３４ａを、第１塗布部９３４ａの軸線周りに沿う周方向に分断している。スリット部９３６ａによって第１塗布部９３４ａに形成された互いに対向する断面は、第１塗布部９３４ａが支持突部９３２に装着されている状態において互いに接触している。スリット部９３６ａを介して第１塗布部９３４ａの分断された部分を開くことで、第１塗布部９３４ａを支持突部９３２に対して脱着することができる。
スリット部９３６ａは、第１塗布部９３４ａの内周面から外周面まで、第１塗布部９３４ａの軸線を中心とした径方向に沿って直線状に延びている。
【００７１】
第２塗布部９３４ｂは、図１２に示すように、他方の支持突部９３２に装着されている。第２塗布部９３４ｂは、筒状に形成されるとともに、他方の支持突部９３２に回転可能に外嵌されている。第２塗布部９３４ｂは、例えば、他方の支持突部９３２と同軸に配置された円筒状である。第２塗布部９３４ｂの外径は、第１塗布部９３４ａの外径よりも大きい。
【００７２】
図１３に示すように、第２塗布部９３４ｂには、スリット部９３６ｂが形成されている。スリット部９３６ｂは、第２塗布部９３４ｂの延びる方向の全体に亘って形成されており、第２塗布部９３４ｂを、第２塗布部９３４ｂの軸線周りに沿う周方向に分断している。スリット部９３６ｂによって第２塗布部９３４ｂに形成された互いに対向する断面は、第２塗布部９３４ｂが支持突部９３２に装着されている状態において互いに接触している。スリット部９３６ｂを介して第２塗布部９３４ｂの分断された部分を開くことで、第２塗布部９３４ｂを支持突部９３２に対して脱着することができる。
【００７３】
スリット部９３６ｂは、第１直線部９３６ｃと、第２直線部９３６ｄと、第３直線部９３６ｅと、を有する。
第１直線部９３６ｃは、第２塗布部９３４ｂの内周面から、第２塗布部９３４ｂの軸線を中心とした径方向に沿って直線状に延びた部分である。第１直線部９３６ｃは、第２塗布部９３４ｂの軸線を中心とした径方向において、第２塗布部９３４ｂの断面の中央まで延びている。
第２直線部９３６ｄは、第１直線部９３６ｃにおける第２塗布部９３４ｂの内周面と逆側の端部に接続され、第１直線部９３６ｃおよび第２塗布部９３４ｂの軸線の両方と直交する方向に直線状に延びた部分である。
【００７４】
第３直線部９３６ｅは、第２直線部９３６ｄにおける第１直線部９３６ｃが接続された側と逆側の端部に接続され、第１直線部９３６ｃと平行な方向に延びた部分である。第３直線部９３６ｅは、第２塗布部９３４ｂの外周面まで延びている。
第１直線部９３６ｃ〜第３直線部９３６ｅが設けられることで、スリット部９３６ｂの形状は、第２塗布部９３４ｂの軸線方向から視て、段差を有する形状となっている。これにより、スリット部９３６ｂによって第２塗布部９３４ｂに形成された互いに対向する断面には、第２塗布部９３４ｂの軸線を中心とした径方向に沿って段差が形成される。各断面は、第２塗布部９３４ｂが支持突部９３２に装着された状態において、それぞれに形成された段差が噛み合って互いに接触している。これにより、第２塗布部９３４ｂがスリット部９３６ｂを介して容易に開くことを抑制でき、第２塗布部９３４ｂが支持突部９３２から外れることを抑制できる。
塗布具９３０のその他の構成は、上述した塗布具３０の構成と同様である。
【００７５】
塗布具９３０の構成によれば、それぞれ塗布部を装着できる支持突部９３２が２つ設けられているため、図１２および図１３に示したように、１つの塗布具９３０に異なる２種類の塗布部を装着することができる。これにより、塗布具９３０の用途の幅を広げることができる。
【００７６】
図１４に示す塗布具１０３０の柄部１０３０ａにおいて、柄部本体１０３１は、２つ設けられている。柄部本体１０３１の一方の周方向端部には、後述する第３塗布部１０３４の支持部１０３４ａが嵌合される凹部１０３１ａが形成されている。２つの柄部本体１０３１に形成された凹部１０３１ａは、互いに対向する位置に配置されている。柄部本体１０３１のその他の構成は、図１２および図１３に示す柄部本体９３１の構成と同様である。
【００７７】
柄部１０３０ａにおいて支持突部１０３２は、２つの柄部本体１０３１における凹部１０３１ａが形成された側と逆側の周方向端部同士を連結する円柱状である。支持突部１０３２の外径は、上述した各支持突部の外径よりも大きい。支持突部１０３２には、第１塗布部９３４ａが装着されている。支持突部１０３２は、第１突部１０３２ａと、第２突部１０３２ｂと、を有する。
【００７８】
第１突部１０３２ａは、一方の柄部本体１０３１から他方の柄部本体１０３１に向かって延びている。第１突部１０３２ａの先端には、第１突部１０３２ａが接続された一方の柄部本体１０３１側に向かって窪む凹部が形成されている。
第２突部１０３２ｂは、他方の柄部本体１０３１から一方の柄部本体１０３１に向かって延びている。第２突部１０３２ｂの先端には、第２突部１０３２ｂが接続された他方の柄部本体１０３１側と逆側に向かって突出する突部が形成されている。
【００７９】
第１突部１０３２ａと第２突部１０３２ｂとは、互いに同軸に配置され対向している。第１突部１０３２ａの凹部と第２突部１０３２ｂの突部とは、互いに噛み合って連結されている。第１突部１０３２ａと第２突部１０３２ｂとは、例えば、互いに分離可能である。なお、この場合、支持突部１０３２に装着される第１塗布部９３４ａには、スリット部９３６ａが形成されていなくてもよい。第１突部１０３２ａと第２突部１０３２ｂとを分離させることで、第１塗布部９３４ａを支持突部１０３２に対して脱着可能なためである。
【００８０】
塗布具１０３０において塗布部は、第１塗布部９３４ａと、第３塗布部（塗布部）１０３４と、の２つが設けられている。
第３塗布部１０３４は、２つの柄部本体１０３１における支持突部１０３２によって連結された側と逆側の周方向端部同士を連結している。第３塗布部１０３４は、支持部１０３４ａと、ブラシ部１０３４ｂと、を有する。
【００８１】
支持部１０３４ａは、２つの柄部本体１０３１を連結する円柱状である。支持部１０３４ａの両端は、２つの柄部本体１０３１にそれぞれ形成された凹部１０３１ａに嵌合されている。支持部１０３４ａは、例えば、凹部１０３１ａから取り外し可能となっている。これにより、第３塗布部１０３４を柄部本体１０３１から脱着することが可能である。
ブラシ部１０３４ｂは、支持部１０３４ａの外周面に固定された複数の線毛によって構成されている。ブラシ部１０３４ｂは、支持部１０３４ａの両端部を除く部分の外周面に一周に亘って設けられている。ブラシ部１０３４ｂは、インサート成形によって製造されてもよいし、複数の線毛を支持部１０３４ａに植毛して製造してもよい。
塗布具１０３０のその他の構成は、上述した塗布具９３０の構成と同様である。
【００８２】
なお、図１４に示す第３塗布部１０３４は、支持部１０３４ａとブラシ部１０３４ｂとが一体となった構造であるため、まとめて塗布部として説明したが、支持部１０３４ａを支持突部、ブラシ部１０３４ｂを塗布部としてそれぞれ捉えることもできる。
また、第３塗布部１０３４は、タワシのような構造によってブラシ部１０３４ｂを構成し、その両端に支持部を設ける構成であってもよい。
【００８３】
図１５から図１７に示す塗布具１１３０の柄部１１３０ａにおいて、柄部本体１１３１は、第１柄部本体１１３７と、第２柄部本体１１３８と、を有する。
第１柄部本体１１３７は、周方向に沿って略半円弧状に延びている。
第２柄部本体１１３８は、第１柄部本体１１３７と別体として形成され、第１軸線Ｊ１を挟んで第１柄部本体１１３７と対向して配置されている。第２柄部本体１１３８の平面視形状は、頂点が径方向内側に向けて配置された略三角形状である。
第１柄部本体１１３７の周方向両端部と第２柄部本体１１３８の周方向両端部とは、それぞれ支持突部９３２によって連結されている。
塗布具１１３０において２つの支持突部９３２は、互いに交差する方向に延びている。
【００８４】
塗布具１１３０において塗布部は、第４塗布部（塗布部）１１３４ａと、第５塗布部（塗布部）１１３４ｂと、の２つが設けられている。
第４塗布部１１３４ａは、一方の支持突部９３２に装着されている。第４塗布部１１３４ａは、筒状に形成されるとともに、一方の支持突部９３２に回転可能に外嵌されている。第４塗布部１１３４ａは、例えば、一方の支持突部９３２と同軸に配置された円筒状である。
【００８５】
図１６に示すように、第４塗布部１１３４ａには、スリット部１１３６ａが形成されている。スリット部１１３６ａは、第４塗布部１１３４ａの延びる方向の全体に亘って形成されており、第４塗布部１１３４ａを、第４塗布部１１３４ａの軸線周りに沿う周方向に分断している。スリット部１１３６ａによって第４塗布部１１３４ａに形成された互いに対向する断面は、第４塗布部１１３４ａが支持突部９３２に装着されている状態において互いに接触している。スリット部１１３６ａを介して第４塗布部１１３４ａの分断された部分を開くことで、第４塗布部１１３４ａを支持突部９３２に対して脱着することができる。
【００８６】
スリット部１１３６ａは、第１直線部１１３６ｃと、第２直線部１１３６ｄと、を有する。
第１直線部１１３６ｃは、第４塗布部１１３４ａの内周面から、第４塗布部１１３４ａの軸線を中心とした径方向に対して、第４塗布部１１３４ａの軸線に沿った周方向の一方側に傾いた方向に直線状に延びた部分である。第１直線部１１３６ｃは、第４塗布部１１３４ａの軸線を中心とした径方向において、第４塗布部１１３４ａの断面の中央まで延びている。
【００８７】
第２直線部１１３６ｄは、第１直線部１１３６ｃにおける第４塗布部１１３４ａの内周面と逆側の端部に接続された部分である。第２直線部１１３６ｄは、第４塗布部１１３４ａの軸線を中心とした径方向に対して、第４塗布部１１３４ａの軸線に沿った周方向の他方側（第１直線部１１３６ｃが傾く側のと逆側）に傾いた方向に直線状に延びている。第２直線部１１３６ｄは、第４塗布部１１３４ａの外周面まで延びている。
【００８８】
第１直線部１１３６ｃおよび第２直線部１１３６ｄが設けられることで、スリット部１１３６ａによって第４塗布部１１３４ａに形成された互いに対向する断面の一方には、周方向に突出する凸部が形成され、他方には周方向に窪む凹部が形成されている。これらの凸部と凹部とは、第４塗布部１１３４ａが支持突部９３２に装着された状態において互いに嵌合している。これにより、第４塗布部１１３４ａがスリット部１１３６ａを介して容易に開くことを抑制でき、第４塗布部１１３４ａが支持突部９３２から外れることを抑制できる。
【００８９】
第５塗布部１１３４ｂは、図１５に示すように、他方の支持突部９３２に装着されている。第５塗布部１１３４ｂは、筒状に形成されるとともに、他方の支持突部９３２に回転可能に外嵌されている。第５塗布部１１３４ｂは、例えば、他方の支持突部９３２と同軸に配置された円筒状である。第５塗布部１１３４ｂの外形上は、第５塗布部１１３４ｂの外径が、第５塗布部１１３４ｂが延びる方向の中央部から両端側に向かうに従って小さくなる樽状である。
【００９０】
図１７に示すように、第５塗布部１１３４ｂには、スリット部１１３６ｂが形成されている。スリット部１１３６ｂは、第５塗布部１１３４ｂの延びる方向の全体に亘って形成されており、第５塗布部１１３４ｂを、第５塗布部１１３４ｂの軸線周りに沿う周方向に分断している。スリット部１１３６ｂによって第５塗布部１１３４ｂに形成された互いに対向する断面は、第５塗布部１１３４ｂが支持突部９３２に装着されている状態において互いに接触している。スリット部１１３６ｂを介して第５塗布部１１３４ｂの分断された部分を開くことで、第５塗布部１１３４ｂを支持突部９３２に対して脱着することができる。第５塗布部１１３４ｂの形状は、図１３に示すスリット部９３６ａと同様である。
塗布具１１３０のその他の構成は、上述した塗布具３０の構成と同様である。
【００９１】
塗布具１１３０によれば、それぞれ塗布部が装着できる支持突部９３２が２つ設けられることで、２種類の塗布部を装着できるとともに、支持突部９３２が互いに交差する方向に延びていることで、柄部本体１１３１の第１柄部本体１１３７を大きくしやすい。これにより、使用者は、第１柄部本体１１３７を把持することで、塗布具１１３０を持ちやすい。したがって、塗布具１１３０の構成によれば、塗布具１１３０の用途の幅を広げつつ、より塗布具１１３０を操作しやすくできる。
【００９２】
図１８に示す塗布具１２３０の柄部１２３０ａにおいて、柄部本体１２３１は、湾曲部１２３１ｂを有する。
湾曲部１２３１ｂは、支持突部３２，３３に装着された第６塗布部（塗布部）１２３４と第１軸線Ｊ１を挟んで対向する位置に配置されている。第６塗布部１２３４は、スリット部が設けられていない点を除いて、図１５および図１７に示した第５塗布部１１３４ｂと同様である。湾曲部１２３１ｂの平面視形状は、径方向内側に窪む曲線状である。湾曲部１２３１ｂが設けられることによって、塗布具１２３０をより持ちやすくできる。
【００９３】
また、塗布具が配置される容器体は、上記の第１実施形態から第３実施形態で説明した各容器体に限られず、塗布具を内部に配置できるならば、特に限定されない。また、塗布具付き容器の用途は、特に限定されない。
また、上記説明した各構成は、相互に矛盾しない範囲内において、適宜組み合わせることができる。特に、上述した各例における各塗布部、各支持突部、および各柄部本体の組み合わせは、上記の組み合わせ例に限られるものではなく、相互に矛盾しない範囲内において、適宜組み合わせることができる。
【符号の説明】
【００９４】
１０，１１０，２１０…塗布具付き容器、１０ａ，１１０ａ，２１０ａ…容器体、１３…ボール体、１４…収容空間、１５…連通空間、２０，１２０，２２０…容器本体、３０，３３０，４３０，５３０，６３０，７３０，８３０，９３０，１０３０，１１３０，１２３０…塗布具、３０ａ，３３０ａ，４３０ａ，５３０ａ，６３０ａ，７３０ａ，８３０ａ，９３０ａ，１０３０ａ，１１３０ａ，１２３０ａ…柄部、３１，５３１，６３１，７３１，８３１，９３１，１０３１，１１３１，１２３１…柄部本体、３２，３３，３３２，４３２，９３２，１０３２…支持突部、３４…塗布部、３５，３３５…隙間、５６…外孔、６４…内孔、７０…蓋体、９３４ａ…第１塗布部（塗布部）、９３４ｂ…第２塗布部（塗布部）、１０３４…第３塗布部（塗布部）、１１３４ａ…第４塗布部（塗布部）、１１３４ｂ…第５塗布部（塗布部）、１２３４…第６塗布部（塗布部）、Ｃ１，Ｃ２，Ｃ３…内容物、Ｊ１…第１軸線、Ｊ２…第２軸線
【図１】
2018033707.tif 000003
【図２】
2018033707.tif 000004
【図３】
2018033707.tif 000005
【図４】
2018033707.tif 000006
【図５】
2018033707.tif 000007
【図６】
2018033707.tif 000008
【図７】
2018033707.tif 000009
【図８】
2018033707.tif 000010
【図９】
2018033707.tif 000011
【図１０】
2018033707.tif 000012
【図１１】
2018033707.tif 000013
【図１２】
2018033707.tif 000014
【図１３】
2018033707.tif 000015
【図１４】
2018033707.tif 000016
【図１５】
2018033707.tif 000017
【図１６】
2018033707.tif 000018
【図１７】
2018033707.tif 000019
【図１８】
2018033707.tif 000020